(57)【特許請求の範囲】
【請求項１】
入力電圧と出力電圧が所定の関係を有し、入力電圧が変化すると出力電圧も変化する直流電源回路（１０）と、
前記直流電源回路に接続され、前記直流電源回路の出力電圧が正常出力電圧範囲にある場合、前記直流電源回路が正常であると判定する判定回路（１１）と、
を備えた電源装置において、
前記判定回路は、前記直流電源回路の出力電圧が前記正常出力電圧範囲を除いた範囲にあり、かつ、前記直流電源回路の入力電圧と出力電圧が前記所定の関係とは異なる関係を有している場合、前記直流電源回路が異常であると判定することを特徴とする電源装置。
【請求項２】
前記直流電源回路は、入力電圧が低下すると出力電圧が低下し、入力電圧が上昇すると出力電圧が上昇することを特徴とする請求項１に記載の電源装置。
【請求項３】
前記直流電源回路は、出力電圧を所定数倍した電圧から入力電圧を引いた差分電圧が所定の差分電圧範囲になるように入力電圧を変換して出力し、
前記判定回路は、前記直流電源回路の出力電圧が前記正常出力電圧範囲を除いた範囲にあり、かつ、前記直流電源回路の前記差分電圧が前記所定の差分電圧範囲を除いた範囲にある場合、前記直流電源回路が異常であると判定することを特徴とする請求項２に記載の電源装置。
【請求項４】
前記判定回路は、前記直流電源回路の出力電圧が前記正常出力電圧範囲より低圧側の領域及び高圧側の領域に設定された、前記直流電源が正常な場合には出力されることがない異常出力電圧範囲にある場合、前記直流電源回路が異常であると判定することを特徴とする請求項１〜３のいずれか１項に記載の電源装置。
【請求項５】
前記判定回路は、前記直流電源回路が異常であると判定した場合、前記直流電源回路を再起動させることを特徴とする請求項１〜４のいずれか１項に記載の電源装置。
【請求項６】
前記判定回路は、所定回数連続して前記直流電源回路が異常であると判定した場合、前記直流電源回路が故障していると判定することを特徴とする請求項１〜５のいずれか１項に記載の電源装置。
【請求項７】
車両に搭載され、乗員を検知するための乗員検知センサ（Ｓ１）に電圧を供給することを特徴とする請求項１〜６のいずれか１項に記載の電源装置。
【発明の詳細な説明】
【技術分野】
【０００１】
本発明は、自らの動作状態を判定することができる電源装置に関する。
【背景技術】
【０００２】
従来、電源装置を備えた装置として、例えば以下に示す特許文献１に開示されている乗員検知ＥＣＵがある。
【０００３】
この乗員検知ＥＣＵは、車両に搭載され、車室内のシートに設置された荷重センサの検出結果に基づいて、車両の乗員の状態を判定する装置である。乗員検知ＥＣＵは、５Ｖ電源と、ＣＰＵとを備えている。５Ｖ電源は、車両バッテリから供給される電圧を変換して荷重センサ及びＣＰＵに供給する回路である。ＣＰＵは、荷重センサの検出結果に基づいて車両の乗員の状態を判定する素子である。５Ｖ電源が異常状態になると、荷重センサやＣＰＵが正常に動作できなくなってしまう。そのため、一般的に、ＣＰＵが５Ｖ電源の出力電圧を監視し、その出力電圧に基づいて５Ｖ電源の動作状態を判定している。例えば、５Ｖ電源の出力電圧が正常出力電圧範囲にある場合、ＣＰＵは、５Ｖ電源が正常であると判定する。一方、５Ｖ電源の出力電圧が正常出力電圧範囲を除いた範囲にある場合、ＣＰＵは、５Ｖ電源が異常であると判定する。
【先行技術文献】
【特許文献】
【０００４】
【特許文献１】特開２００５−２３１４１１号公報
【発明の概要】
【発明が解決しようとする課題】
【０００５】
ところで、車両バッテリは、充電状態や負荷状態によって電圧が変化する。５Ｖ電源が安定化電源である場合、車両バッテリから供給される入力電圧が変化しても、出力電圧は変化することなく一定値に保たれる。そのため、５Ｖ電源が正常であれば、出力電圧は正常出力電圧範囲に保たれ、５Ｖ電源が異常であると判定されることはない。しかし、５Ｖ電源が安定化電源でない場合、車両バッテリから供給される入力電圧が変化すると出力電圧も変化してしまう。その結果、５Ｖ電源が正常であるにも係わらず、出力電圧が正常出力電圧範囲を除いた範囲になってしまい、５Ｖ電源が異常であると誤判定される可能性がある。
【０００６】
本発明はこのような事情に鑑みてなされたものであり、自らの動作状態の判定において誤判定を抑えることができる電源装置を提供することを目的とする。
【課題を解決するための手段】
【０００７】
上記課題を解決するためになされた本発明は、入力電圧と出力電圧が所定の関係を有し、入力電圧が変化すると出力電圧も変化する直流電源回路と、直流電源回路に接続され、直流電源回路の出力電圧が正常出力電圧範囲にある場合、直流電源回路が正常であると判定する判定回路と、を備えた電源装置において、判定回路は、直流電源回路の出力電圧が正常出力電圧範囲を除いた範囲にあり、かつ、直流電源回路の入力電圧と出力電圧が所定の関係とは異なる関係を有している場合、直流電源回路が異常であると判定することを特徴とする。
【０００８】
この構成によれば、直流電源回路は、入力電圧が変化すると出力電圧も変化する。そのため、直流電源回路が正常であるにも係わらず、出力電圧が正常出力電圧範囲を除いた範囲になることがある。しかし、直流電源回路は、入力電圧と出力電圧が所定の関係を有している。直流電源回路の出力電圧が正常出力電圧範囲を除いた範囲にある場合、判定回路は、直流電源回路の入力電圧と出力電圧が所定の関係とは異なる関係を有している場合に、直流電源回路が異常であると判定する。そのため、直流電源回路が正常であるにも係わらず、異常であると誤判定されることはない。従って、自らの動作状態の判定において誤判定を抑えることができる。
【図面の簡単な説明】
【０００９】
【図１】第１実施形態における装置のブロック図である。
【図２】図１における装置の動作を説明するためのフローチャートである。
【図３】図１における装置の判定ロジックを説明するための説明図である。
【図４】図１における装置の判定ロジックを説明するための別の説明図である。
【発明を実施するための形態】
【００１０】
次に、実施形態を挙げ、本発明をより詳しく説明する。
【００１１】
（第１実施形態）
まず、図１を参照して第１実施形態の電源装置の構成について説明する。  
【００１２】
図１に示す電源装置１は、車両に搭載され、車載バッテリＢ１から供給される電圧を変換して乗員検知センサＳ１に供給する装置である。ここで、車載バッテリＢ１は、車両に搭載された様々な電子装置に電圧を供給する電源である。車載バッテリＢ１の正極端は電源装置１に接続され、負極端は接地されている。乗員検知センサＳ１は、車両の乗員を検知するセンサである。具体的には、荷重センサである。乗員検知センサＳ１は、車室内のシートに設置され、電源装置１に接続されている。電源装置１は、直流電源回路１０と、判定回路１１とを備えている。
【００１３】
直流電源回路１０は、車載バッテリＢ１から供給される電圧を変換して乗員検知センサＳ１に供給する回路である。直流電源回路１０は、入力電圧Ｖｉｎと出力電圧Ｖｏｕｔが所定の関係を有し、入力電圧Ｖｉｎが変化すると出力電圧Ｖｏｕｔも変化する。具体的には、入力電圧Ｖｉｎが低下すると出力電圧Ｖｏｕｔが低下し、入力電圧Ｖｉｎが上昇すると出力電圧Ｖｏｕｔが上昇する。より具体的には、出力電圧Ｖｏｕｔを電圧変換倍率Ｋ（所定数、Ｋ＞０）倍した電圧から入力電圧Ｖｉｎを引いた差分電圧ΔＶが、所定の差分電圧範囲（ΔＶｍｉｎ〜ΔＶｍａｘ）になるように入力電圧Ｖｉｎを変換して出力する。ここで、ΔＶｍｉｎは、差分電圧範囲の下限閾値であり、差分電圧範囲には含まない。ΔＶｍａｘは、差分電圧範囲の上限閾値であり、差分電圧範囲には含まない。直流電源回路１０は、必要に応じて判定回路１１によって再起動される。
【００１４】
直流電源回路１０の入力端は車載バッテリＢ１の正極端に、出力端は乗員検知センサＳ１にそれぞれ接続されている。また、制御端は判定回路１１に接続されている。
【００１５】
判定回路１１は、直流電源回路１０の入出力電圧Ｖｉｎ、Ｖｏｕｔに基づいて、直流電源回路１０が正常であるか否か、故障しているか否かを判定する回路である。また、判定結果に基づき直流電源回路１０を再起動する回路でもある。
【００１６】
判定回路１１は、直流電源回路１０の出力電圧Ｖｏｕｔが正常出力電圧範囲（Ｖｍｉｎ〜Ｖｍａｘ）にある場合、直流電源回路１０が正常であると判定する。ここで、正常出力電圧範囲（Ｖｍｉｎ〜Ｖｍａｘ）は、直流電源回路１０が正常な場合に出力可能な電圧範囲に設定されている。Ｖｍｉｎは、正常出力電圧範囲の下限閾値であり、正常出力電圧範囲には含まない。Ｖｍａｘは、正常出力電圧範囲の上限閾値であり、正常出力電圧範囲には含まない。
【００１７】
また、判定回路１１は、直流電源回路１０の出力電圧Ｖｏｕｔが正常出力電圧範囲（Ｖｍｉｎ〜Ｖｍａｘ）を除いた範囲にあり、かつ、直流電源回路１０の入力電圧Ｖｉｎと出力電圧Ｖｏｕｔが前述した所定の関係とは異なる関係を有している場合、直流電源回路１０が異常であると判定する。具体的には、直流電源回路１０の出力電圧Ｖｏｕｔが正常出力電圧範囲（Ｖｍｉｎ〜Ｖｍａｘ）を除いた範囲にあり、かつ、直流電源回路１０の差分電圧ΔＶが差分電圧範囲（ΔＶｍｉｎ〜ΔＶｍａｘ）を除いた範囲にある場合、直流電源回路１０が異常であると判定する。
【００１８】
さらに、判定回路１１は、直流電源回路１０の出力電圧Ｖｏｕｔが正常出力電圧範囲（Ｖｍｉｎ〜Ｖｍａｘ）より低圧側の領域及び高圧側の領域に設定された異常出力電圧範囲（〜Ｖｌｍａｘ）、（Ｖｈｍｉｎ〜）にある場合、直流電源回路１０が異常であると判定する。ここで、異常出力電圧範囲（〜Ｖｌｍａｘ）は、直流電源回路１０が正常な場合には出力されることのない、正常出力電圧範囲（Ｖｍｉｎ〜Ｖｍａｘ）より低圧側の領域の電圧範囲に設定されている。また、異常出力電圧範囲（Ｖｈｍｉｎ〜）は、直流電源回路１０が正常な場合には出力されることのない、正常出力電圧範囲（Ｖｍｉｎ〜Ｖｍａｘ）より高圧側の領域の電圧範囲に設定されている。Ｖｌｍａｘは、低圧側の異常出力電圧範囲の上限閾値であり、異常出力電圧範囲に含む。Ｖｈｍｉｎは、高圧側の異常出力電圧範囲の下限閾値であり、異常出力電圧範囲に含む。
【００１９】
判定回路１１は、直流電源回路１０が異常であると判定した場合、直流電源回路１０を再起動させる。そして、所定回数連続して直流電源回路１０が異常であると判定した場合、直流電源回路１０が故障していると判定する。具体的には、連続再起動回数が再起動閾値Ｎになった場合、直流電源回路１０が故障していると判定する。ここで、再起動閾値Ｎは、直流電源回路１０の異常が一時的なものでないと判断できる回数に設定されている。
【００２０】
判定回路１１は、直流電源回路１０の入力端及び出力端に接続されている。また、直流電源回路１０の制御端に接続されている。
【００２１】
次に、図１〜図４を参照して第１実施形態の電源装置の動作について説明する。
【００２２】
図１に示す判定回路１１は、図２に示すように、直流電源回路１０の入出力電圧Ｖｉｎ、Ｖｏｕｔをサンプリングする（Ｓ１００）。そして、サンプリングした直流電源回路１０の入出力電圧Ｖｉｎ、Ｖｏｕｔと、図３に示す判定ロジックに基づいて直流電源回路１０の状態を判定する（Ｓ１０１）。
【００２３】
図３に示すように、直流電源回路１０の出力電圧Ｖｏｕｔが正常出力電圧範囲（Ｖｍｉｎ〜Ｖｍａｘ）にある場合、判定回路１１は、直流電源回路１０が正常であると判定する。具体的には、図４に示すように、直流電源回路１０の出力電圧Ｖｏｕｔが正常出力電圧の下限閾値Ｖｍｉｎより大きく、かつ、正常出力電圧の上限閾値Ｖｍａｘより小さい場合、直流電源回路１０が正常であると判定する。
【００２４】
一方、図３に示すように、直流電源回路１０の出力電圧Ｖｏｕｔが正常出力電圧範囲（Ｖｍｉｎ〜Ｖｍａｘ）を除いた範囲にあり、かつ、直流電源回路１０の差分電圧ΔＶが差分電圧範囲（ΔＶｍｉｎ〜ΔＶｍａｘ）を除いた範囲にある場合、判定回路１１は、直流電源回路１０が異常であると判定する。具体的には、図４に示すように、直流電源回路１０の出力電圧Ｖｏｕｔが正常出力電圧の下限閾値Ｖｍｉｎ以下、かつ、直流電源回路１０の差分電圧ΔＶが差分電圧範囲の下限閾値ΔＶｍｉｎ以下又は差分電圧範囲の上限閾値ΔＶｍａｘ以上である場合、直流電源回路１０が異常であると判定する。また、直流電源回路１０の出力電圧Ｖｏｕｔが正常出力電圧の上限閾値Ｖｍａｘ以上、かつ、直流電源回路１０の差分電圧ΔＶが差分電圧範囲の下限閾値ΔＶｍｉｎ以下又は差分電圧範囲の上限閾値ΔＶｍａｘ以上である場合、直流電源回路１０が異常であると判定する。
【００２５】
さらに、図３に示すように、直流電源回路１０の出力電圧Ｖｏｕｔが正常出力電圧範囲（Ｖｍｉｎ〜Ｖｍａｘ）より低圧側の領域及び高圧側の領域に設定された異常出力電圧範囲（〜Ｖｌｍａｘ）、（Ｖｈｍｉｎ〜）にある場合、判定回路１１は、直流電源回路１０が異常であると判定する。具体的には、図４に示すように、直流電源回路１０の出力電圧Ｖｏｕｔが低圧側の異常出力電圧範囲の上限閾値Ｖｌｍａｘ以下、又は、高圧側の異常出力電圧範囲の下限閾値Ｖｈｍｉｎ以上である場合、直流電源回路１０が異常であると判定する。
【００２６】
さらに、前述した状態以外の場合、判定回路１１は、直流電源回路１０が不定状態であると判定する。
【００２７】
図２に示すステップＳ１０１において、直流電源回路１０が正常であると判定した場合、判定回路１１は、最終的に、直流電源回路１０が正常であると判定する（Ｓ１０２）。
【００２８】
一方、ステップＳ１０１において、直流電源回路１０が異常であると判定した場合、判定回路１１は、直流電源回路１０の連続再起動回数が再起動閾値Ｎに達したか否かを判定する（Ｓ１０３）。
【００２９】
ステップＳ１０３において、直流電源回路１０の連続再起動回数が再起動閾値Ｎに達していないと判定した場合、判定回路１１は、直流電源回路１０を再起動する（Ｓ１０４）。そして、ステップＳ１００に戻る。
【００３０】
一方、ステップＳ１０３において、直流電源回路１０の連続再起動回数が再起動閾値Ｎに達している判定した場合、判定回路１１は、最終的に、直流電源回路１０が故障していると判定する（Ｓ１０５）。つまり、Ｎ回連続して直流電源回路１０が異常であると判定した場合、直流電源回路１０が故障していると判定する。
【００３１】
一方、ステップＳ１０１において、直流電源回路１０が不定状態であると判定した場合、判定回路１１は、所定時間、直流電源回路１０の復帰を待つ（Ｓ１０６）。そして、ステップＳ１００に戻る。
【００３２】
次に、第１実施形態の電源装置の効果について説明する。
【００３３】
第１実施形態によれば、直流電源回路１０は、入力電圧Ｖｉｎが変化すると出力電圧Ｖｏｕｔも変化する。そのため、直流電源回路１０が正常であるにも係わらず、出力電圧Ｖｏｕｔが正常出力電圧範囲（Ｖｍｉｎ〜Ｖｍａｘ）を除いた範囲になることがある。しかし、直流電源回路１０は、入力電圧Ｖｉｎと出力電圧Ｖｏｕｔが所定の関係を有している。直流電源回路１０の出力電圧Ｖｏｕｔが正常出力電圧範囲（Ｖｍｉｎ〜Ｖｍａｘ）を除いた範囲にある場合、判定回路１１は、直流電源回路１０の入力電圧Ｖｉｎと出力電圧Ｖｏｕｔが所定の関係とは異なる関係を有している場合に、直流電源回路１０が異常であると判定する。そのため、直流電源回路１０が正常であるにも係わらず、異常であると誤判定されることはない。従って、自らの動作状態の判定において誤判定を抑えることができる。
【００３４】
第１実施形態によれば、直流電源回路１０は、入力電圧Ｖｉｎが低下すると出力電圧Ｖｏｕｔが低下し、入力電圧Ｖｉｎが上昇すると出力電圧Ｖｏｕｔが上昇する。そのため、直流電源回路１０が正常であるにも係わらず、出力電圧Ｖｏｕｔが正常出力電圧範囲（Ｖｍｉｎ〜Ｖｍａｘ）を除いた範囲になることがある。このような場合においても、自らの動作状態の判定において誤判定を抑えることができる。
【００３５】
第１実施形態によれば、直流電源回路１０は、出力電圧Ｖｏｕｔを電圧変換率Ｋ倍した電圧から入力電圧Ｖｉｎを引いた差分電圧ΔＶが所定の差分電圧範囲（ΔＶｍｉｎ〜ΔＶｍａｘ）になるように入力電圧を変換して出力する。直流電源回路１０の出力電圧Ｖｏｕｔが正常出力電圧範囲（Ｖｍｉｎ〜Ｖｍａｘ）を除いた範囲にある場合、判定回路１１は、直流電源回路１０の差分電圧ΔＶが差分電圧範囲（ΔＶｍｉｎ〜ΔＶｍａｘ）を除いた範囲にある場合に、直流電源回路１０が異常であると判定する。そのため、直流電源回路１０が正常であるにも係わらず、異常であると誤判定されることはない。従って、自らの動作状態の判定において誤判定を確実に抑えることができる。
【００３６】
第１実施形態によれば、判定回路１１は、直流電源回路の出力電圧Ｖｏｕｔが正常出力電圧範囲（Ｖｍｉｎ〜Ｖｍａｘ）より低圧側の領域及び高圧側の領域に設定された異常出力電圧範囲（〜Ｖｌｍａｘ）、（Ｖｈｍｉｎ〜）にある場合、直流電源回路１０が異常であると判定する。ここで、異常出力電圧範囲（〜Ｖｌｍａｘ）、（Ｖｈｍｉｎ〜）は、直流電源回路１０が正常な場合には出力されることのない電圧範囲に設定されている。そのため、直流電源回路１０の明らかな異常を確実に判定することができる。
【００３７】
第１実施形態によれば、判定回路１１は、直流電源回路１０が異常であると判定した場合、直流電源回路１０を再起動させる。そのため、直流電源回路１０の異常が一時的なものであった場合、直流電源回路１０を復帰させることができる。従って、乗員検知センサＳ１への電圧供給が頻繁に停止するような事態を抑えることができる。
【００３８】
第１実施形態によれば、判定回路１１は、Ｎ回連続して直流電源回路１０が異常であると判定した場合、直流電源回路１０が故障していると判定する。そのため、直流電源回路１０が一時的な異常でなく、故障していると確実に判定することができる。
【００３９】
第１実施形態によれば、電源装置１は、乗員を検知するための乗員検知センサＳ１に電圧を供給する。そのため、乗員検知システムを構成する電源装置の動作状態の判定において、誤判定を抑えることができる。
【００４０】
なお、第１実施形態では、直流電源回路１０の入力電圧Ｖｉｎと出力電圧Ｖｏｕｔの関係が、差分電圧ΔＶが差分電圧範囲（ΔＶｍｉｎ〜ΔＶｍａｘ）になるような関係である例を挙げているが、これに限られるものではない。直流電源回路１０の入力電圧Ｖｉｎと出力電圧Ｖｏｕｔの関係は、これ以外の関係であってもよい。直流電源回路１０の入力電圧Ｖｉｎと出力電圧Ｖｏｕｔが所定の関係を有し、判定回路１１がその所定の関係に基づいて直流電源回路１０の状態を判定すればよい。
【符号の説明】
【００４１】
１・・・電源装置、１０・・・直流電源回路、１１・・・判定回路、Ｂ１・・・車載バッテリ、Ｓ１・・・乗員検知センサ
【図１】
0006047531.tif 000002
【図２】
0006047531.tif 000003
【図３】
0006047531.tif 000004
【図４】
0006047531.tif 000005